(57)【要約】【課題】  大規模イベントから小規模のイベントまで対応可能なイベントシステムおよびイベント実行方法を提供する。【解決手段】      ネットワークＮに接続可能な表示手段を有するイベント装置２と、携帯端末３と、イベント装置２および携帯端末３にイベント情報を表示させるサーバ１とから構成され、サーバ１は、携帯端末の端末情報を管理する携帯端末管理部１０と、質問・回答群を管理する質問・回答情報管理部１１と、端末３からの回答結果を管理する回答結果管理部１２と、第１の表示画面生成部１３と、第２の表示画面生成部１４と、を有しており、イベント装置２からの要求に応じて、質問回答群を選択し、選択した質問・回答群から所定の質問情報を選択して選択した質問情報を前記第１および第２の表示画面生成部１３，１４により各々前記イベント装置２と前記端末３に送信し、前記端末３からの回答を、前記回答結果管理部１２により集計し、集計した結果を前記イベント装置２と対応する携帯端末３に送信する。【選択図】      図１
2009251716.tif 000002
【特許請求の範囲】
【請求項１】
ネットワークに接続可能な表示装置を有するイベント装置と、
ネットワークに接続可能な情報を表示するための表示部を有する携帯端末と、
ネットワークを介して前記イベント装置および前記携帯端末にイベント情報を表示させるサーバとから構成され、
前記サーバは、携帯端末の端末情報を管理する携帯端末管理部と、
１以上の質問・回答群を管理する質問・回答情報管理部と、
前記携帯端末からの回答結果を管理する回答結果管理部と、
前記表示装置用に質問及び回答結果情報を表示するための第１の表示画面生成部と、
前記携帯端末に質問及び回答結果情報を前記表示装置とは別個のフォーマットで表示するための第２の表示画面生成部と、
を有しており、
前記サーバは、前記イベント装置からの要求に応じて、質問回答群を選択し、選択した質問・回答群から所定の質問情報を選択して選択した質問情報を前記第１および第２の表示画面生成部により各々前記イベント装置と前記携帯端末に送信し、
前記携帯端末からの回答を、前記回答結果管理部により集計し、集計した結果を前記イベント装置と対応する携帯端末に送信する
ことを特徴とするイベントシステム。
【請求項２】
前記サーバは、携帯端末を登録するに当たって、予め登録方法を前記イベント装置に登録情報を表示させる登録情報管理部を有していることを特徴とする請求項１に記載のイベントシステム。
【請求項３】
前記イベント装置に送信する回答結果の解析情報は、所定イベント性を持った表示方法で前記イベント装置の表示手段に表示させることを特徴とする請求項１又は請求項２に記載のイベントシステム。
【請求項４】
前記イベント装置には予め所定のデザインの下絵が容易され、前記携帯端末からの回答により前記デザインを完成させることを特徴とする請求項３に記載のイベントシステム。
【請求項５】
ネットワークに接続可能な情報を表示するための表示部を有する携帯端末と、ネットワークを介して接続可能な表示手段を有するイベント装置であって、
前記携帯端末の端末情報を管理する携帯端末管理部と、
１以上の質問・回答群を管理する質問・回答情報管理部と、
前記携帯端末からの回答結果を管理する回答結果管理部と、
前記表示手段に質問及び回答結果情報を表示するための第１の表示画面生成部と、
前記携帯端末に質問及び回答結果情報を前記表示装置とは別個のフォーマットで表示するための第２の表示画面生成部と、
を有しており、
前記イベント装置は、質問回答群を選択し、選択した質問・回答群から所定の質問情報を選択して選択した質問情報を前記第１および第２の表示画面生成部により各々前記表示装置と前記携帯端末に送信し、
前記携帯端末からの回答を、前記回答結果管理部により集計し、集計した結果を前記表示装置と対応する携帯端末に送信する
ことを特徴とするイベント装置。
【請求項６】
前記イベント装置は、携帯端末を登録するに当たって、予め登録方法を前記イベント装置に登録情報を表示させる登録情報管理部を有していることを特徴とする請求項５に記載のイベント装置。
【請求項７】
前記表示手段に表示する回答結果の解析情報は、所定イベント性を持った表示方法（定義要）で前記イベント装置の表示手段に表示させることを特徴とする請求項５又は請求項６に記載のイベント装置。
【請求項８】
請求項１から請求項４に記載のイベントシステムを用いてイベントを行うイベント実行方法であって、
前記サーバは、予め登録してある質問情報をイベント装置及び登録された携帯端末に表示できる形式に質問情報を成形する工程と、
前記成形した質問情報をイベント装置に送信する工程と、
前記携帯端末からの質問に対する回答を受信する工程と、
前記受信した回答の端末を特定する工程と、
前記回答結果を解析する工程と、
解析結果を前記イベント装置及び回答した携帯端末に送信する工程と、
を含むことを特徴とする、イベント実行方法。
【発明の詳細な説明】
【技術分野】
【０００１】
本発明は、イベントシステム、イベント装置およびイベント実行方法に関する。
【背景技術】
【０００２】
従来、例えば、インターネットなどのオープンな通信回線網を利用して順次出題されるクイズに次々と答えて、クイズの正解率等を集計して表示するサイトがある。また、チャットを利用してクイズを出題し、参加者の中でだれが一番早くクイズに正解できるかを競うクイズゲームもある。
【０００３】
さらに、特許文献１ではオープンな通信回線を利用して、興趣を高めたクイズイベントを行うクイズイベントシステムおよびこのクイズイベントの進行を管理するクイズイベント管理装置を提供する目的として、クイズイベント参加者の情報通信端末と、クイズの問題および正解を含むクイズ情報を前記情報通信端末に送信してクイズイベントの進行を管理するクイズイベント管理装置と、がオープンな通信回線によって接続されるクイズイベントシステムであって、前記情報通信端末は、前記クイズイベント管理装置から送信されたクイズ情報を表示するクイズ情報表示手段と、前記クイズ情報表示手段に表示されたクイズの問題に対する回答を入力する回答入力手段と、を備え、前記クイズイベント管理装置は、前記クイズ情報を記憶するクイズ情報データベースと、前記回答入力手段によって入力されたクイズの回答を含む回答情報を受信して、当該回答情報に基づいて、クイズイベントを進行させるためのクイズイベント進行情報を決定するクイズイベント進行情報決定手段と、前記クイズイベント進行情報決定手段によって決定されたクイズイベント進行情報を、当該回答情報を送信したクイズイベント参加者の情報通信端末に送信する送信手段と、を備えたクイズイベントシステムが開示されている。
【０００４】
特許文献１によれば、回答情報に基づいてクイズイベントを進行させるためのクイズイベント進行情報が決定され、当該クイズイベント進行情報が回答情報を送信したクイズ参加者の情報通信端末に送信されるので、クイズイベント進行情報に従ってクイズイベントが進行されることとなって、オープンな通信回線を使った従来にないクイズイベントを提供することが出来ると記載されている。
【０００５】
【特許文献１】特開２００２−１０９１２６号公報（全文）
【発明の開示】
【発明が解決しようとする課題】
【０００６】
しかしながら、特許文献１に記載の技術では大規模なイベント会場や、例えば結婚式などの比較的小規模のイベントに個別に対応することはできなかった。
【０００７】
したがって、本発明の課題は、大規模イベントから小規模のイベントまで対応可能なイベントシステムおよびイベント実行方法を提供することである。
【課題を解決するための手段】
【０００８】
上記課題を解決する本発明は、ネットワークに接続可能な表示手段を有するイベント装置と、ネットワークに接続可能な情報を表示するための表示部を有する携帯端末と、ネットワークを介して前記イベント装置にイベント情報を表示させるサーバとから構成され、前記サーバは、携帯端末の端末情報を管理する携帯端末管理部と、１以上の質問・回答群を管理する質問・回答情報管理部と、前記端末からの回答結果を管理する回答結果管理部と、前記表示装置用に質問及び回答結果情報を表示するための第１の表示画面生成部と、前記携帯端末に質問及び回答結果情報を前記表示装置とは別個のフォーマットで表示するための第２の表示画面生成部と、を有しており、前記サーバは、前記イベント装置からの要求に応じて、質問回答群を選択し、選択した質問・回答群から所定の質問情報を選択して選択した質問情報を前記第１および第２の表示画面生成部により各々前記イベント装置と前記端末に送信し、前記端末からの回答を、前記回答結果管理部により集計し、集計した結果を前記イベント装置と対応する携帯端末に送信することを特徴とするイベントシステムに関する。
【０００９】
本発明のイベントシステムにおいて携帯端末を登録するに当たって、予め登録方法を前記イベント装置に登録情報を表示させる登録情報管理部を有していることが好ましい。
【００１０】
本発明のイベントシステムにおいて、前記イベント装置に送信する回答結果の解析情報は、所定イベント性を持った表示方法で前記イベント装置の表示手段に表示させることも可能である。
【００１１】
なお、本明細書において使用する用語「イベント性を持った表示方法」とは、例えば表示手段に予めデザインの下絵を表示させ、イベントの進行に伴い表示した下絵を完成させたり、予め登録してある端末名をアニメーション表示して質問に対する回答に応じて表示装置に表示させるなど、回答結果を表示装置に表示する表示方法自体にイベント性を有していることを意味する。
【００１２】
また、本発明はネットワークに接続可能な情報を表示するための表示部を有する携帯端末と、ネットワークを介して接続可能な表示手段を有するイベント装置であって、携帯端末の端末情報を管理する携帯端末管理部と、１以上の質問・回答群を管理する質問・回答情報管理部と、前記端末からの回答結果を管理する回答結果管理部と、前記表示手段に質問及び回答結果情報を表示するための第１の表示画面生成部と、前記携帯端末に質問及び回答結果情報を前記表示装置とは別個のフォーマットで表示するための第２の表示画面生成部と、を有しており、前記イベント装置は、質問回答群を選択し、選択した質問・回答群から所定の質問情報を選択して選択した質問情報を前記第１および第２の表示画面生成部により各々前記表示装置と前記端末に送信し、前記端末からの回答を、前記回答結果管理部により集計し、集計した結果を前記表示装置と対応する携帯端末に送信することを特徴とするイベントに関する。
【００１３】
本発明のイベント装置は、携帯端末を登録するに当たって、予め登録方法を前記イベント装置に登録情報を表示させる登録情報管理部を有していることができる。
【００１４】
また、前記表示手段に表示する回答結果の解析情報は、所定イベント性を持った表示方法で前記イベント装置の表示手段に表示させることも可能である。
【００１５】
本発明はさらに、本発明のイベントシステムを用いてイベントを行うイベント実行方法であって、前記サーバは、予め登録してある質問情報をイベント装置及び登録された端末に表示できる形式に質問情報を成形する工程と、前記成形した質問情報をイベント装置に送信する工程と、前記携帯端末からの質問に対する回答を受信する工程と、前記受信した回答の携帯端末を特定する工程と、前記回答結果を解析する工程と、解析結果を前記イベント装置及び回答した携帯端末に送信する工程と、を含むことを特徴とする、イベント実行方法に関する。
【発明の効果】
【００１６】
本発明のイベントシステム、イベント装置およびイベント実行方法によると、質問・回答形式で進行するイベントを進行するに当たって、比較的大規模なイベントから結婚式や小集団での会合など個別の小規模のイベントまで適用可能となる。
【発明を実施するための最良の形態】
【００１７】
以下、本発明の実施の形態を添付図面に基づいて説明する。
まず、図１から図８に基づいて、本発明の第一実施形態であるイベントシステムについて説明する。
【００１８】
図１は本発明のイベントシステムの概略を説明するための概略図であり、図２は、本発明のイベントシステムにおいて選択した質問・回答を表示装置および携帯端末に出力する仕組みを表した概略図であり、図３は、本発明のイベントシステムにおいてイベントを実行するための工程を示したフローチャートであり、図４は、本発明のサーバのデータ構造を示す図面であり、、携帯端末管理部のデータ構造の一例を示す図面である。
【００１９】
また、図５は、本発明のイベントシステムをイベント会場に配置した例を示す図面であり、図６〜図８は、各々本発明のイベントシステムを用いてイベントを実行した際に表示される画面の一例を示し、（ａ）はイベント会場に配置してある大型ディスプレイの表示画面であり、（ｂ）は携帯端末の表示画面である。さらに、図９および図１０は、各々本発明のイベントシステムで表示する表示画面の一例を示す図面である。
【００２０】
まず、図１に基づいて本発明のイベントシステムの概略を説明する。
図１に示す通り、本発明のイベントシステムＳは、ネットワークＮに接続可能な表示装置を有するイベント装置２と、ネットワークＮに接続可能な情報を表示するための表示部を有する携帯端末３、３、・・・と、ネットワークＮを介してイベント装置２にイベント情報を表示させるサーバ１とから主として構成されている。
【００２１】
サーバ１は、イベントを進行するための管理を行う機能を有するネットワーク接続可能なコンピュータシステムであり、携帯端末の端末情報を管理する携帯端末管理部１０と、質問・回答情報管理部１１と、前記端末からの回答結果を管理する回答結果管理部１２と、第１の表示画面生成部１３と、前記携帯端末に質問及び回答結果情報を前記表示装置とは別個のフォーマットで表示するための第２の表示画面生成部１４とを有している。
【００２２】
携帯端末管理部１０は、イベントに参加する携帯端末３を登録させ、登録した携帯端末３の情報を管理する機能を有している。
【００２３】
携帯端末管理部１０は、イベント装置の表示画面に設けられたあるいは予め紙等の媒体に記載された携帯端末３の登録情報に基づいて、携帯端末から登録作業が行われた際に、携帯端末の情報を管理するデータベースであり、必要に応じて携帯端末保有者のハンドルネーム等などのイベントを進行させるのに必要な情報を管理する機能を有している。なお、携帯端末管理部１０は、イベント単位で管理され、例えば後述する図４に示すようなデータ構造を有している。
【００２４】
質問・回答情報管理部１１は、１以上の質問・回答群を管理する機能を有している。また、回答情報管理部１１は、登録した質問情報および回答情報に基づいてイベント装置２の表示装置２１に表示する画面および携帯端末３、３・・・の各表示画面に表示する画面のする情報を各々後述する第１の表示画面生成部１３および第２の表示画面生成部１４に受け渡す機能を有している。
【００２５】
質問・回答情報管理部１１も、携帯端末管理部１０と同様にイベント単位で管理されている。
【００２６】
なお、質問・回答情報管理部１１に格納される質問・回答情報は、汎用の質問・回答を用意することも可能である。
【００２７】
回答結果管理部１２は、各端末３、３、・・・からの回答結果を管理する機能を有しており、回答結果の正解・不正解、回答までに要する時間等を集計し、複数の回答結果に対する各端末の順位付け等を行う機能を有している。
【００２８】
第１の表示画面生成部１３は、質問及び回答結果情報を表示するために質問・回答情報管理部１１からの質問情報および回答結果管理部１２で集計した集計結果情報に基づいて、これらの質問および回答結果をイベント装置２の表示装置２１に表示させるフォーマットに成形してイベント装置２に送信する機能を有している。
【００２９】
第２の表示画面生成部１４は、質問及び回答結果情報を表示するために質問・回答情報管理部１１からの質問情報を各携帯端末３、３・・・に表示できるフォーマットに成形して各携帯端末３、３・・・に送信するとともに、所定の携帯端末３から送信された回答結果をその携帯端末３の表示画面に表示可能なフォーマットにて当該携帯端末３に送信する機能を有している。
【００３０】
イベント装置２とは、イベントを実行する会場に適する表示装置２１を有するコンピュータシステムであり、サーバ１とネットワークＮを介して接続してサーバ１からの質問回答情報に基づいてイベントを進行させるための装置である。
【００３１】
表示装置２１とは、イベント装置２に接続された１または複数のディスプレイであり、プロジェクタ、モニタなどイベント会場の規模に応じて設置される表示手段である。
【００３２】
携帯端末３とは、ネットワークと接続機能を有する携帯端末であり、代表的にはネットワーク接続機能を有する携帯電話である。近年、携帯電話の普及がめざましくイベントに参加する数多くのユーザが個人保有しているので、携帯電話を、本発明のイベントに参加する携帯端末３として使用することが好ましい。
【００３３】
しかしながら、本発明のイベントシステムにおける携帯端末３は携帯電話に限定されるものでなく、幅広く適用可能である。例えば、イベント会場で予め貸与用としてあるＰＤＡ、ノートパソコンなども本発明の携帯端末として適用可能である。
【００３４】
次に本発明のイベントシステムを用いた具体的動作例を図３から図８に基づいて説明する。
図３から図８に示す実施形態では、結婚式の二次会会場などの比較的小規模で実施されるイベントに本発明のイベントシステムを適用した例である。
【００３５】
図５に示す通り、イベント会場には、イベント参加者全員が閲覧できる大型のディスプレイが表示装置２１として設けられており、この大型ディスプレイ（表示装置２１）に本発明のイベント装置２が接続されている。なお、所望に応じて、イベント進行者の操作用に大型ディスプレイ２１とは別個に小型の表示装置２１’を設けても良い。
【００３６】
このイベント装置２は、ネットワークＮを介してサーバ１と接続され、本発明のイベントシステムを構成している（サーバの構造については図１参照）。
【００３７】
そして、イベント会場の各テーブル１、テーブル２、テーブル３には携帯端末として携帯電話を保有する各ユーザＡ、Ｂ、・・・Ｌが列席しているものと想定する。
【００３８】
このような、状況において、本発明のイベントシステムでは、まず列席したユーザＡ、Ｂ、・・・Ｌをイベントに参加させるためにまず、ユーザ登録を行う。
【００３９】
ユーザ登録は、図３に示す通り、登録受付、登録要求、登録手続きを繰り返し、登録完了するまで実行される。
【００４０】
具体的には、図４に示す通り、大型ディスプレイ上にエントリー方法が表示され、エントリー方法に従って、図示しないサーバにアクセスすると、画像がサーバ１の第２の表示画面生成部１４（図１参照）に予め登録された登録画面が携帯端末の表示画面に送信される。
【００４１】
これに対して各ユーザが所定のニックネームを入れて返信すると、ユーザが保有する携帯端末情報（携帯電話番号、携帯電話メールアドレス）がニックネームを含めて登録される。
【００４２】
このようにして、イベント開始するまで登録手続きを行う。イベント開始は、所定時間までのエントリーによりイベントを開始する他、イベント主催者側がイベントを開始する情報すなわちエントリー終了情報をイベント装置２からサーバ１に送信することによって実施される。
【００４３】
イベントの実行は、質問を選択し、選択した質問に対して大型ディスプレイ２１用、各携帯端末３表示用の表示形式に変換して大型ディスプレイ２１、各携帯端末３に表示させる。
【００４４】
次いで、各端末３から質問に対する回答をサーバ１に送信してイベントが進行する。各端末３から回答が送信されると（回答受信）、サーバ１は、携帯端末管理部１０に登録したメールアドレスを参照して受信した端末３を特定して、回答を受付中か否かを判断して回答を受付中の場合には回答結果を解析する。一方回答受付終了の場合には結果を表示する。
【００４５】
なお、この際のイベント装置２に対してサーバ１が送出する質問および回答は、予めイベント装置２から登録された質問、その回答および回答に対する集計方法によって規定され、大型ディスプレイに表示される表示画面はその際に決定されるイベント性を持たせおり、また、回答結果の表示をリアルタイムで行っている。
【００４６】
このようにして、予め大型ディスプレイに表示する質問およびその回答を繰り返して、本発明のイベントシステムＳを用いてイベントを進行していく。
【００４７】
イベントの進行に当たって、図１に示すサーバ１は、イベント装置２の表示装置２１および各携帯端末３、３・・・・に質問を表示させるが、その際に図７（ａ）、（ｂ）に示す通り、表示装置２１に質問画面を表示させるためにサーバ１の第１の表示画面生成部１３は、表示装置２１に応じて表示画面を生成してイベント装置２を介して表示装置２１の表示画面に質問を表示させる。これと同時に、各携帯端末３に対しては携帯端末用の表示画面を第２の表示画面生成部１４により生成して、これをネットワークを介して各携帯端末３、３、・・・に送信する。
【００４８】
なお、表示装置２１の表示画面には例えば表示装置の解像度に応じて予め用意されたＨＴＭＬのテンプレートにより質問をＨＴＭＬ形式のフォーマットに変換し、これをイベント装置２を介して表示装置２１である大型ディスプレイに表示させる（図７（ａ）参照）。
【００４９】
一方、各携帯端末３、３・・・には、携帯端末用の表示フォーマットを生成して、携帯端末管理部１０に登録された各携帯端末に当てて生成した情報を送信する（図７（ｂ）参照）。
【００５０】
このようにして、大型ディスプレイと携帯端末の表示画面に各々同一の質問内容を別個に表示させることが可能となる。
【００５１】
そして、このようにして大型ディスプレイおよび各携帯端末に表示された質問に対して、イベントに参加した（携帯端末３により登録した）参加者が回答を送信することによりイベントが進行していく。
【００５２】
この際に、図７（ｂ）に示す通り質問が選択肢の場合には回答したい選択肢を携帯端末３のディスプレイより選択してサーバ１に送信することが好ましい。
【００５３】
サーバ１は、各携帯端末３からの回答を受信すると回答結果を集計していくが、例えば図８（ａ）に示すように、イベント参加者Ａのニックネームがタロウでありイベント参加者Ｂのニックネームがハナコであると仮定すると、イベント参加者Ａの携帯端末から送信された回答は、図８（ａ）に示す通り、順位付けされて大型ディスプレイに表示する。
【００５４】
一方、回答者であるニックネーム「タロウ」の端末には、タロウの回答結果を図８（ｂ）に示す通りに表示する。
【００５５】
このようにして、質問と回答を繰り返すことによって、イベントを進行させることが可能である。また、このような質問・回答は規定のフォーマットによりイベント会場の大型ディスプレイと携帯端末のディスプレイに表示可能であるので、規定のフォーマットによる質問・回答を予め入力することによって各種イベントに対応可能となるという従来技術にはない特徴を有する。
【００５６】
また、所望に応じて、回答結果をそのまま表示するような設定を行うことが可能である。例えば、図３から図８に示した例においては、「新郎のよいところは？」などのメッセージを携帯端末３から入力させてディスプレイの任意の箇所に表示させるような構成とすることが可能であり、さらにいわゆる「大型ディスプレイ」を色紙に見立てて任意の文書を入力してもらい、図示しないプリンタ等の出力機能により出力することも可能である。
【００５７】
さらに、図４に示す端末登録情報に基づいて入手したメールアドレスを、情報提供、イベント参加者名簿などに利用することも可能である。
【００５８】
また、例えば図９に示す通り、回答結果をパネルクイズ式にしたり、図１０に示す通り、予め用意した下絵を正解により完成させたりするようなデザイン性を持たせることも本発明の範囲内である。
【００５９】
次に図１１に基づいて、本発明の別の実施形態を説明する。図１１は本発明のイベント装置を示す図面である。
【００６０】
図１１に示す実施形態は、図１〜図１０に示す実施形態において、サーバ１がイベント装置２の機能を有する例を示している。
その他の機能は、図１から図１０に示す実施形態と同様であるので、その詳細な説明は省略する。
【００６１】
このような実施形態において、例えば無線ＬＡＮなどに接続されたＰＤＡなどの情報端末３をインターネットなどのオープンなネットワークを介さずローカル接続することによっても図１から図１０に示す実施形態と同様な作用効果を発揮する。
【図面の簡単な説明】
【００６２】
【図１】図１は本発明のイベントシステムの概略を説明するための概略図である。
【図２】本発明のイベントシステムにおける質問・回答を各表示画面に表示させる構成を示す図面である。
【図３】本発明のイベントシステムにおいてイベントを実行するための工程を示したフローチャートである。
【図４】本発明のサーバのデータ構造を示す図面である。
【図５】本発明のイベントシステムをイベント会場に配置した例を示す図面である。
【図６】本発明のイベントシステムを用いてイベントを実行した際に表示される画面の一例を示し、（ａ）はイベント会場に配置してある大型ディスプレイの表示画面であり、（ｂ）は携帯端末の表示画面である。
【図７】本発明のイベントシステムを用いてイベントを実行した際に表示される画面の一例を示し、（ａ）はイベント会場に配置してある大型ディスプレイの表示画面であり、（ｂ）は携帯端末の表示画面である。
【図８】本発明のイベントシステムを用いてイベントを実行した際に表示される画面の一例を示し、（ａ）はイベント会場に配置してある大型ディスプレイの表示画面であり、（ｂ）は携帯端末の表示画面である。
【図９】イベントシステムで表示する表示画面の一例を示す図面である。
【図１０】イベントシステムで表示する表示画面の一例を示す図面である。
【図１１】本発明のイベント装置を示す図面である。
【符号の説明】
【００６３】
１      サーバ
２      イベント装置
３      携帯端末
１０    携帯端末管理部
１１    質問・回答情報管理部
１２    回答結果管理部
１３    第１の表示画面生成部
１４    第２の表示画面生成部
２１    表示装置（大型ディスプレイ）
【図１】
2009251716.tif 000003
【図２】
2009251716.tif 000004
【図３】
2009251716.tif 000005
【図４】
2009251716.tif 000006
【図５】
2009251716.tif 000007
【図６】
2009251716.tif 000008
【図７】
2009251716.tif 000009
【図８】
2009251716.tif 000010
【図９】
2009251716.tif 000011
【図１０】
2009251716.tif 000012
【図１１】
2009251716.tif 000013